(57)【要約】【課題】ファイルシステムの構成に基づく起動時間の長大化を解消することのできる携帯型撮像装置を提供する。【解決手段】オペレーティングシステムの起動時にハードディスクドライブ１０５に格納された実データに対応する未使用クラスタ情報をＦＳＩＮＦＯ領域１２３から取得するようにしたので、ファイルシステムの初期化処理におけるＦＡＴ領域１２４の検索作業を省略でき、ファイルシステムの初期化に要する時間の短縮が図られる。これに伴ってオペレーティングシステムの起動処理に要する時間を短縮でき、携帯型撮像装置１の電源投入から使用可能になるまでの機動性を向上させることができる。【選択図】図２
2007214786.tif 000002
【特許請求の範囲】
【請求項１】
撮像動作に基づいて生成されるデータをファイルシステムの管理に基づいて記録部に記録させる制御部と、
前記ファイルシステムで管理される前記データを記録可能な前記記録部の空き容量に基づくデータ記憶状態を示す情報を格納する未使用領域情報格納部を前記記憶部に有することを特徴とする携帯型撮像装置。
【請求項２】
撮像素子で撮像された画像データをファイルシステムの管理に基づいて記録部に記録させる制御部と、
前記ファイルシステムで管理される前記画像データを記録可能な前記記録部の空き容量に基づく未使用領域情報を格納する未使用領域情報格納部を前記記憶部に有することを特徴とする携帯型撮像装置。
【請求項３】
撮像素子で撮像された画像データをファイルシステムの管理に基づいてハードディスクドライブに記録させる制御部と、
前記ファイルシステムで管理される前記画像データを記録可能な前記ハードディスクドライブの空き容量に基づく未使用クラスタ情報を格納する未使用クラスタ情報格納部を前記記憶部に有することを特徴とする携帯型撮像装置。
【請求項４】
前記記憶部は、ハードディスクドライブ又は半導体メモリである請求項１又は２に記載の携帯型撮像装置。
【請求項５】
前記半導体メモリは、着脱自在なフラッシュメモリである請求項４に記載の携帯型撮像装置。
【請求項６】
前記未使用クラスタ情報格納部は、前記携帯型撮像装置と接続された外部機器の前記ファイルシステムの配下で前記外部機器とのデータ転送を行うとき、前記データ転送の終了後に前記ハードディスクドライブの空き容量に基づく未使用クラスタ情報を再検索する請求項３に記載の携帯型撮像装置。
【請求項７】
前記未使用クラスタ情報格納部は、前記携帯型撮像装置と接続された外部機器に対して前記携帯型撮像装置の前記ファイルシステムの配下で前記外部機器とのデータ転送を行うとき、前記データ転送の終了後に前記ハードディスクドライブの空き容量に基づく未使用クラスタ情報を再検索しない請求項３に記載の携帯型撮像装置。
【請求項８】
前記制御部は、前記携帯型撮像装置の機器異常が生じたとき、電源遮断前に前記未使用クラスタ情報を再検索する請求項３に記載の携帯型撮像装置。
【請求項９】
前記制御部は、前記携帯型撮像装置の機器異常に基づいて電源遮断動作が行われたとき、次回起動時に前記未使用クラスタ情報を再検索する請求項３に記載の携帯型撮像装置。
【発明の詳細な説明】
【技術分野】
【０００１】
本発明は、ファイルシステムの構成に基づく起動時間の長大化を解消することのできる携帯型撮像装置に関する。
【背景技術】
【０００２】
従来の撮像装置として、被写体を撮像して当該被写体の動画像又は静止画像の画像情報を出力する撮像素子を備えたものがある。このような撮像装置では、画像情報を記録する記録部としてフラッシュメモリ等の半導体メモリに記憶するものが広く知られている。
【０００３】
また、他の記憶部として、ハードディスクドライブを用いた撮像装置が提案されている（例えば、特許文献１参照。）。ハードディスクドライブは、半導体メモリと比べて容量当たりのコストが安いことから、動画のように１ファイル当たりのサイズが大である撮像装置の記憶部に適している。
【０００４】
上記した記録部におけるデータ管理方法として、ハードウエア等の動作を制御するオペレーティングシステムに含まれるファイルシステムに基づいてフォルダやファイルを管理するものが知られている。このようなファイルシステムとして、パーソナル・コンピュータや電子機器に広く用いられているＦＡＴ（File Allocation Table）がある。ＦＡＴは、ファイルを構成する単位であるクラスタのディスク上の物理的な配置を管理するものであり、データ記録領域のフォーマットの仕方や、その管理方法の異なるＦＡＴ、ＦＡＴ３２等の複数の形式を有している。
【０００５】
ファイルシステムは、電子機器の電源投入に基づいてオペレーティングシステムの起動が実行されると、これに基づいて初期化処理が行われる。そして記憶領域のクラスタ使用状況をＦＡＴ領域について検索することにより把握する。このＦＡＴ領域は、記憶領域に対して行われるデータの書き込み、読み出しに応じて逐次更新される。
【特許文献１】特開２００３−２７４３５６号公報
【発明の開示】
【発明が解決しようとする課題】
【０００６】
しかし、従来のファイルシステムを搭載した電子機器によると、一般にオペレーティングシステムの起動時において、ＦＡＴ領域の検索に基づいて記憶領域のクラスタ使用状況を把握しているため、ハードディスクドライブ等の記憶容量の大なる記憶部ではＦＡＴ領域の検索に要する時間が大になり、これに伴い電子機器の電源投入から使用可能な状態に至るまでの時間（以下、「起動時間」という）が大になって機器の利便性を低下させるという問題がある。
【０００７】
特に、近年普及しつつある携帯型の撮像装置においては、動画、静止画等の画像系データをフィルム等の記録媒体によらずに電気的に保存できるメリットを有する反面、可搬性を阻害しない小型化とバッテリー寿命の向上に加え、撮像性能の向上や、撮像データの大サイズ化に応じた記憶部の更なる大容量化を要求されている。このような背景にあって記憶部を大容量化しても起動時間が長大化してしまうと、撮りたい瞬間に直面しても撮像装置が操作できないといった不具合が生じることになる。
【０００８】
従って、本発明の目的は、ファイルシステムの構成に基づく起動時間の長大化を解消することのできる携帯型撮像装置を提供することにある。
【課題を解決するための手段】
【０００９】
本発明は、上記の目的を達成するため、撮像動作に基づいて生成されるデータをファイルシステムの管理に基づいて記録部に記録させる制御部と、前記ファイルシステムで管理される前記データを記録可能な前記記録部の空き容量に基づくデータ記憶状態を示す情報を格納する未使用領域情報格納部を前記記憶部に有する携帯型撮像装置を提供する。
【００１０】
また、本発明は、上記の目的を達成するため、撮像素子で撮像された画像データをファイルシステムの管理に基づいて記録部に記録させる制御部と、前記ファイルシステムで管理される前記画像データを記録可能な前記記録部の空き容量に基づく未使用領域情報を格納する未使用領域情報格納部を前記記憶部に有する携帯型撮像装置を提供する。
【００１１】
また、本発明は、上記の目的を達成するため、撮像素子で撮像された画像データをファイルシステムの管理に基づいてハードディスクドライブに記録させる制御部と、前記ファイルシステムで管理される前記画像データを記録可能な前記ハードディスクドライブの空き容量に基づく未使用クラスタ情報を格納する未使用クラスタ情報格納部を前記記憶部に有する携帯型撮像装置を提供する。
【発明の効果】
【００１２】
本発明によれば、ファイルシステムの構成に基づく起動時間の長大化を解消することができる。
【発明を実施するための最良の形態】
【００１３】
（本発明の第１の実施の形態）
図１は、本発明の第１の実施の形態に係る携帯型撮像装置を示し、（ａ）は携帯型撮像装置をバッテリーカバー側から見た斜視図、（ｂ）は携帯型撮像装置を液晶表示部側から見た斜視図である。
【００１４】
（携帯型撮像装置１の構成）
この携帯型撮像装置１は、レンズ２と、フラッシュ３と、静止画撮影用のシャッターボタン４と、図示しないリモコン装置の発光部から放射される光を受光するリモコン受光部５と、図示しないハンドストラップを取り付けるためのストラップ取付け部６と、本体に対して可動自在に取り付けられるバッテリーカバー７と、三脚用ネジ穴８と、図示しない接続アダプタを接続される接続端子９と、携帯型撮像装置１についての設定項目を選択するためのジョグダイヤル１０と、各種設定の決定操作を行うための決定スイッチ１１と、種々のメニューを後述する液晶表示部１７に表示させるためのメニュースイッチ１２と、再生モードおよび記録（静止画、動画）モードを切り換えるモードスイッチ１３と、本体に着脱自在に格納されたメモリカードを保護するメモリカードカバー１４と、動画撮影用の録画スイッチ１５と、静止画および動画の撮像時にズーム操作を行うためのズームバー１６と、液晶表示部１７と、液晶表示部１７の下側に設けられるスピーカ１８と、電源スイッチ１９と、携帯型撮像装置１の動作状態を示すステイタスＬＥＤ２０と、メモリカードへのアクセス状態に応じて点灯するメディアＬＥＤ２１とを有している。
【００１５】
シャッターボタン４は、モードスイッチ１３が撮影モードに設定されているとき操作されることによって静止画の撮影を行う。シャッターボタン４を半押し（ハーフシャッター操作）することでピント合わせと露出合わせが行われ、液晶表示部１７にはＩＳＯ感度、シャッター速度、絞り値が表示される。また、動画撮影時にシャッターボタン４を操作することにより静止画撮影を行うことも可能である。
【００１６】
バッテリーカバー７は、バッテリーカバーロック７Ａによって本体に内蔵された電源としてのリチウムイオンバッテリーが脱落することを防止している。
【００１７】
接続端子９は、ＵＳＢ（Universal Serial Bus）端子と、電源端子と、ＡＶ端子を備えた図示しない接続アダプタを接続されることにより、接続アダプタを介してＡＶ出力、ＵＳＢ接続を可能にする。
【００１８】
メモリカードカバー１４は、メモリカードカバーロック１４Ａを解除することによって開閉可能な構成を有する。本実施の形態では、メモリカードとしてＳＤメモリカードが用いられる。
【００１９】
録画スイッチ１５は、モードスイッチ１３が撮影モードに設定されているとき操作されることによって動画の撮影を行う。
【００２０】
液晶表示部１７は、スピーカ１８とともに同一のパネルに収められており、このパネルは本体に対して開閉可能かつ回転自在に枢軸されている。また収納状態では、液晶表示部１７およびスピーカ１８の形成面が本体側に、背面側が本体の外形と同一面を形成するようになっている。
【００２１】
電源スイッチ１９は、液晶表示部１７を開いている状態で携帯型撮像装置１をＯＮまたはＯＦＦするときに用いられる。なお、この携帯型撮像装置１では、液晶表示部１７を開くことにより電源がＯＮとなり、液晶表示部１７を閉じることにより電源がＯＦＦとなるようになっている。
【００２２】
この携帯型撮像装置１は、本体上部、つまりレンズ２の背後に図示しない結像光学系および固体撮像素子を搭載しており、固体撮像素子は静止画および動画の撮影に対応する。
【００２３】
図２は、本発明の第１の実施の形態に係る携帯型撮像装置のブロック図である。なお、同図においては、携帯型撮像装置１の主要な部分について示している。
【００２４】
この携帯型撮像装置１では、各部の動作を制御する制御部であるＣＰＵ１００と、携帯型撮像装置１の電源操作を行うための電源スイッチ１００Ａと、メモリ回路１０１と、携帯型撮像装置１を制御するオペレーティングシステム１０２Ａおよびその起動に必要なブートプログラム１０２Ｂを格納したフラッシュメモリ１０２と、撮像素子から出力される画像信号の信号処理を行う信号処理回路１０３と、画像信号の圧縮伸長処理を行う圧縮伸長処理回路１０４と、大容量記憶装置であるハードディスクドライブ１０５と、不揮発性メモリからなるメモリカード１０６と、液晶表示部１７を駆動するための表示駆動部１０７と、表示用の画像信号を生成するビデオデコーダ１０８と、ＬＡＮ（Local Area Network）端子１０９に接続されるＬＡＮコントローラ１１０と、ＵＳＢ端子１１１に接続されるＵＳＢコントローラ１１２とを含む。
【００２５】
メモリ回路１０１は、ＣＰＵ１００と各部との間に設けられるとともにＣＰＵ１００から出力されるデータ量の大なる信号を一時的に保持する。
【００２６】
信号処理回路１０３は、画像信号であるＣＣＤ出力信号に対して所定の信号処理を行う。
【００２７】
圧縮伸長処理回路１０４は、静止画、動画に応じてＣＣＤ出力信号に対する圧縮伸長処理を行う。本実施の形態の形態では、静止画についてはＪＰＥＧ（Joint Photographic Expert Group）規格に基づく圧縮伸長処理を行い、動画についてはＭＰＥＧ（Motion Picture Experts Group）規格に基づく圧縮伸長処理を行う。
【００２８】
ハードディスクドライブ１０５は、ＦＡＴ３２のファイルシステムに基づいて記録される静止画、動画等の画像データ、これに伴って記録される音声データ、およびその他のデータを管理する記憶部であり、後述するＦＡＴ領域の未使用クラスタ情報を格納する未使用クラスタ情報格納部であるＦＳＩＮＦＯ領域１２３を有する。
【００２９】
ビデオデコーダ１０８は、図示しない撮像素子で撮像された画像に基づくＣＣＤ出力信号をデコードして液晶表示部１７の表示用に信号処理し、表示駆動部１０７に出力する。
【００３０】
ＬＡＮコントローラ１１０は、携帯型撮像装置１と外部の機器との間でＬＡＮ端子１０９を介して制御信号や静止画あるいは動画のデータを送受信する。
【００３１】
ＵＳＢコントローラ１１２は、パーソナル・コンピュータや他の電子機器と静止画あるいは動画のデータをＵＳＢ端子１１１を介して送受信する。
【００３２】
ＣＣＤ出力信号は、図示しないＡ／Ｄ変換部でデジタル信号に変換されて信号処理回路１０３に入力し、所定の信号処理を施された後に圧縮伸長処理回路１０４で圧縮処理を施され、メモリ回路１０１を介してハードディスクドライブ１０５又はメモリカード１０６に記録される。このとき、撮影される画像は、ビデオデコーダ１０８を介し、表示駆動部１０７を経て液晶表示部１７に表示される。
【００３３】
また、再生時は、ハードディスクドライブ１０５又はメモリカード１０６から読み出された画像がメモリ回路１０１を介して圧縮伸長処理回路１０４に入力し、伸長処理を施された後にメモリ回路１０１を介してビデオデコーダ１０８に出力され、表示駆動部１０７を経て液晶表示部１７に表示される。
【００３４】
ハードディスクドライブ１０５又はメモリカード１０６に記録された静止画または動画を外部機器に転送、あるいは外部機器から受信するときは、ＵＳＢコントローラ１１２を介してＵＳＢ端子１１１から送受信する。これは外部機器がＰＣであることを想定している。
【００３５】
また、ＤＶＤ（Digital Versatile Disk）レコーダのような録画再生装置に対してＭＰＥＧ圧縮された動画を直接的に送受信することもできる。一般に、ＤＶＤレコーダにこれらの画像データを転送するときは、ＭＰＥＧ圧縮された動画像を撮像装置側でデコードし、ビデオ端子やＳ端子からアナログ出力し、録画再生装置側でアナログ信号を再圧縮して保存する。
【００３６】
この方法では、例えば１時間記録した動画をＤＶＤに記録するのに１時間かかる。しかし、ここではＭＰＥＧ圧縮した動画データは、このままストリーミングとしてネットワーク経由でＤＶＤに転送することができ、その転送時間は、圧縮率にも依存するが、実時間の数１０倍を達成でき、画質は、再エンコードしないため高画質のままである。例えば１時間記録した動画像をＤＶＤレコーダに記録するのに１／１０だと６分で済む。ネットワークとしてＬＡＮを考えた場合、ＬＡＮコントローラ１１０を介してＬＡＮ端子１０９から送受信する。なお、ＤＶＤレコーダへの転送は、動画に限定せずに静止画でも音声を含んだ場合でも構わない。
【００３７】
図３は、本発明の第１の実施の形態における携帯型撮像装置の電源投入からオペレーティングシステムの起動完了までの状態遷移図である。
【００３８】
携帯型撮像装置１において電源スイッチ１００Ａの操作に基づく電源投入操作（Ｓ１）が行われると、そのＯＮ信号がＣＰＵ１００に入力する。ＣＰＵ１００はＯＮ信号に基づくオペレーティングシステムの起動処理を実行し（Ｓ２）、フラッシュメモリ１０２に格納されているブートプログラム１０２Ｂをフラッシュメモリ１０２の作業領域に読み込んで実行するブート処理を行う（Ｓ３）。
【００３９】
このブート処理に基づいて、同様にフラッシュメモリ１０２に格納されているオペレーティングシステム１０２Ａをフラッシュメモリ１０２の作業領域に読み込んで実行することによりオペレーティングシステムの起動処理が行われる。オペレーティングシステムの起動処理では、携帯型撮像装置１の各部デバイスを制御するデバイスドライバの初期化処理、そしてファイルシステムの初期化処理が行われる。
【００４０】
このファイルシステムの初期化処理の段階において、未使用クラスタの総数がどれだけあるかを参照する未使用クラスタ情報参照（Ｓ４）と、携帯型撮像装置１の動作に応じたクラスタの検索（Ｓ５）を経て、ハードディスクドライブのデータ領域に格納可能な記憶容量が把握（Ｓ６）されることにより、オペレーティングシステムの起動処理が完了する。
【００４１】
図４は、ハードディスクドライブに格納されるデータを構造的に示す図である。ここで説明するデータはＦＡＴ３２の構造図である。
【００４２】
図４で示すように、ハードディスク１には、先頭領域にあるセクタに設けられ、ハードディスクドライブを構成する論理的に分離された領域であるパーティションの位置やサイズ、オペレーティングシステムの種別を示すＩＤ等を記録したパーティションテーブルと、アクティブなパーティションから起動用のプログラムを読み込むためのマスタブートコードが記録されているＭＢＲ(Master Boot Record)１２０と、空き領域１２１、およびパーティション１３０が配置されている。
【００４３】
パーティション１３０には、アクティブなパーティションの先頭領域に設けられてオペレーティングシステムの起動時に上記のＭＢＲ１２０に基づいてフラッシュメモリ１０２に読み出され実行されるＰＢＲ（Partion Boot Record）１２２と、後述するＦＡＴ領域１２４、１２５の未使用クラスタ情報を記録するＦＳＩＮＦＯ領域１２３と、ハードディスクドライブ１０５におけるファイルのクラスタの配列が記録されているＦＡＴ領域１２４と、ＦＡＴ領域１２４のバックアップ領域であるＦＡＴ領域１２５と、ファイル名、拡張子、属性、作成された日付と時刻、先頭クラスタ番号、およびファイルのサイズ等が格納されるディレクトリエントリと、そのディレクトリエントリに対応する実データが記録されるデータ領域１２６が設けられている。
【００４４】
また、ＦＡＴ領域１２４は、ファイルを記録するクラスタに対応したエントリ１２４Ａ１２４Ｂが設けられており、個々のエントリには「0000 0000」、「0000 00XX」等の番号が付されている。このようなエントリ１２４Ｂの「0000 0000」にはファイルが記憶されておらず、未使用クラスタであることを意味しており、この総数がＦＳＩＮＦＯ領域１２３に格納される。エントリ１２４Ａの「0000 00XX」等の「０」以外の数字が付されたエントリにはファイルが記憶されており、使用クラスタであることを意味している。なお、ここで１セクタは５１２バイトである。
【００４５】
図５は、携帯型撮像装置におけるオペレーティングシステムの起動処理を示すフローチャートである。以下に、図１から図４にかけての図面を参照しながら、電源投入から携帯型撮像装置１が使用可能になるまでの状態について説明する。
【００４６】
まず、携帯型撮像装置１の液晶表示部１７を開くことにより電源投入動作を行う（Ｓ１１）。この電源投入動作に基づいてＣＰＵ１００はフラッシュメモリ１０２に格納されたブートプログラム１０２Ｂに基づくブート処理を実行させる。続いてフラッシュメモリ１０２に格納されているオペレーティングシステム１０２Ａをフラッシュメモリ１０２の作業領域に読み込んで実行することによりオペレーティングシステムの起動処理を行う（Ｓ１２）。
【００４７】
オペレーティングシステムの起動に基づいてデバイスドライバの初期化処理が行われ、続いてファイルシステムの初期化処理が行われる際に、ＦＳＩＮＦＯ領域１２３に格納されている未使用クラスタ情報を参照する（Ｓ１３）。
【００４８】
ここで、未使用クラスタ情報がＦＳＩＮＦＯ領域１２３に格納されているとき（Ｓ１４：ＹＥＳ）、ＣＰＵ１００は未使用クラスタ情報を読み込み（Ｓ１５）、ＦＡＴ領域１２４および１２５を検索せずに未使用クラスタ情報に基づいて使用可能なクラスタ数を把握することにより使用可能な記憶容量を把握し、オペレーティングシステムの起動処理を完了する（Ｓ１６）。
【００４９】
一方、未使用クラスタ情報がＦＳＩＮＦＯ領域１２３に格納されていないとき（Ｓ１４：ＮＯ）、ＣＰＵ１００はＦＡＴ領域１２４におけるエントリの検索を行い、「0000 0000」のエントリ１２４Ｂの総和に基づく未使用クラスタ情報を取得し、ＦＳＩＮＦＯ領域１２３に格納する（Ｓ１５）。
【００５０】
このようにしてＦＳＩＮＦＯ領域１２３に格納された未使用クラスタ情報は、データの読み書きによってＦＡＴ領域１２４の配列が変更されるまで保存され、変更があったときは逐次最新の未使用クラスタ情報に更新される。
【００５１】
（本発明の第１の実施の形態の効果）
上記した本発明の第１の実施の形態によると、オペレーティングシステムの起動時にハードディスクドライブ１０５に格納された実データに対応する未使用クラスタ情報をＦＳＩＮＦＯ領域１２３から取得するようにしたので、ファイルシステムの初期化処理におけるＦＡＴ領域１２４の検索作業を省略でき、ファイルシステムの初期化に要する時間の短縮が図られる。これに伴ってオペレーティングシステムの起動処理に要する時間を短縮でき、携帯型撮像装置１の電源投入から使用可能になるまでの機動性を向上させることができる。
【００５２】
なお、上記した携帯型撮像装置１の電源投入動作については、液晶表示部１７を開くことにより行う場合を説明したが、本体に設けられる電源スイッチ１９を操作した場合についても同様の手順を経てオペレーティングシステムが起動する。
【００５３】
また、第１の実施の形態では、データの格納領域がハードディスクドライブ１０５である携帯型撮像装置１を説明したが、ＦＡＴ３２で管理される記憶デバイスであればハードディスクドライブ１０５に限定されず、半導体メモリ等のメモリカード１０６であっても同様の効果が得られる。更にこのメモリカード１０６が本体に対して着脱自在に設けられるものであっても良い。但し、着脱可能なメモリカード１０６については携帯型撮像装置１以外でデータの読み書きが行われることがあるので、未使用クラスタ情報は使用しない。
【００５４】
また、第１の実施の形態では、上記した未使用クラスタ情報をＦＳＩＮＦＯ１２３に格納する構成を説明したが、例えば、ＦＳＩＮＦＯ１２３以外の領域に格納し、その記憶領域をオペレーティングシステムの起動処理に関連付けておき、オペレーティングシステムの起動時に関連付けされた記憶領域に格納されている未使用クラスタ情報を参照するようにすることで、同様に起動処理に要する時間を短縮することができる。
【００５５】
上記した携帯型撮像装置１は、撮像された画像等のデータをケーブル等で接続されたパーソナル・コンピュータや他の電子機器に転送することができる。この場合、記憶デバイスに対してファイル（例えば、画像データ）の読み書きが行われると、これに伴ってＦＡＴ領域１２４の配列も変化することから、ＦＳＩＮＦＯ領域１２３に格納される未使用クラスタ情報も更新される。以下に、データ転送に基づく未使用クラスタ情報の更新について説明する。
【００５６】
（本発明の第２の実施の形態）
図６は、本発明の第２の実施の形態に係る携帯型撮像装置の接続形態を示す全体図である。同図においては携帯型撮像装置１をパーソナル・コンピュータ（以下、ＰＣ装置という）２００とケーブル接続した形態を示している。以下の説明において、第１の実施の形態と同一の構成および機能を有する部分については共通の引用数字を付している。
【００５７】
ＰＣ装置２００は、ＰＣ本体部２００Ａと、液晶表示部２０１と、文字キー、ファンクションキー、数字キー等の入力キーを所定の配列で設けられるキーボード２０２と、液晶表示部２０１の表示画面における任意の位置をポイントするためのポインティングデバイスとしてのマウス２０３とを有し、携帯型撮像装置１と同様にＦＡＴ３２のファイルシステムによってデータの配列が管理される。
【００５８】
携帯型撮像装置１は、ケーブル接続用の種々の端子部を備えた接続アダプタ１Ａと接続されており、接続アダプタ１ＡのＵＳＢ端子とＰＣ装置２００のＵＳＢ端子とをＵＳＢケーブル２１０を介して接続している。
【００５９】
図７は、ＰＣ装置のファイルシステムの配下において携帯型撮像装置から画像データをＰＣ装置に移動する場合の動作を説明するフローチャートである。
【００６０】
まず、携帯型撮像装置１に接続アダプタ１Ａを取り付ける。接続アダプタ１Ａは携帯型撮像装置１の本体に対してねじ固定されることにより一体化される。次に、接続アダプタ１ＡのＵＳＢ端子にＵＳＢケーブル２１０の一端を接続し、ＵＳＢケーブル２１０の他端をＰＣ装置２００のＵＳＢ端子に接続する（Ｓ２１）。
【００６１】
ＰＣ装置２００は、携帯型撮像装置１を外部接続デバイスとして検出すると、表示画面に携帯型撮像装置１のデータ領域を表示する。この表示画像に基づいてキーボード２０２及びマウス２０３を操作して、ＰＣ装置２００のデータ領域２００に携帯型撮像装置１から画像データを移動させる操作を行うと、転送状態を示すアニメーション表示が液晶表示部２０１に表示されるとともに画像データがＰＣ装置２００に転送される（Ｓ２２）。画像データがＰＣ装置２００に正常に転送されると、転送状態を示すアニメーション表示が消える（Ｓ２３）。
【００６２】
このとき、携帯型撮像装置１では、データ領域１２６のデータ構成に変化が生じているものの、自らのファイルシステムがデータ構成の変更に関与しないので、その変更内容を知ることができない。そのため、ＣＰＵ１００は、ＰＣ装置２００と接続解除された後（Ｓ２４）にＦＡＴ領域１２４の再検索を実行させる（Ｓ２５）。再検索の実行中は、携帯型撮像装置１のステイタスＬＥＤ２０がハードディスクドライブ１０５へのアクセスに応じて点灯する。この再検索によってデータ構成変更後の未使用クラスタ情報を取得し、ＦＳＩＮＦＯ領域１２３に格納させる（Ｓ２６）。
【００６３】
（本発明の第２の実施の形態の効果）
上記した本発明の第２の実施の形態によると、接続された外部機器のファイルシステムの配下で携帯型撮像装置１から外部機器に対しファイル転送を行う場合であっても、外部機器との接続解除後に未使用クラスタ情報について再検索が行われるので、ＦＳＩＮＦＯ領域１２３には正確な未使用クラスタ情報が格納される。これにより後のオペレーティングシステム起動処理に要する起動時間を大にすることがない。
【００６４】
また、第２の実施の形態では、外部機器のファイルシステムの配下でデータ転送を行う動作を説明したが、携帯型撮像装置１のファイルシステムの配下で外部機器へのデータ転送を行うことも可能であり、この場合には上記した動作とは異なるので、以下に説明する。
【００６５】
（本発明の第３の実施の形態）
図８は、本発明の第３の実施の形態に係る携帯型撮像装置の接続形態を示す全体図である。同図においては携帯型撮像装置１を録画再生装置３００とケーブル接続した形態を示している。本実施の形態では、携帯型撮像装置１のＬＡＮ端子と録画再生装置３００のＬＡＮ端子とをＬＡＮケーブル２１１を介して接続している
【００６６】
図９は、携帯型撮像装置のファイルシステムの配下において携帯型撮像装置から画像データを録画再生装置に移動する場合の動作を説明するフローチャートである。
【００６７】
まず、携帯型撮像装置１に取り付けた接続アダプタ１ＡのＬＡＮ端子にＬＡＮケーブル２１１の一端を接続し、ＬＡＮケーブル２１１の他端を録画再生装置３００のＬＡＮ端子に接続する（Ｓ３１）。接続後、携帯型撮像装置１は、録画再生装置３００との同期処理を行う。
【００６８】
次に、携帯型撮像装置１の液晶表示部７に表示されるファイル選択画面を見ながら、ジョグダイヤル１０、決定スイッチ１１等を選択してファイル移動を指示することにより携帯型撮像装置１から録画再生装置３００へのデータ転送が実行される（Ｓ３２）。データ転送の実行中は液晶表示部７に転送中を示す表示画像が表示され、転送が終了すると表示が消える（Ｓ３３）。
【００６９】
携帯型撮像装置１のファイルシステムの配下でデータ転送が実行されると、データ領域１２６のデータ構成に変化が生じてもファイルシステムでデータ転送量を把握しているので、ＦＡＴ領域１２４の再検索は必要なく、携帯型撮像装置１と録画再生装置３００との接続を解除して終了となる（Ｓ３４）。
【００７０】
（本発明の第３の実施の形態）
上記した本発明の第３の実施の形態によると、携帯型撮像装置１側のファイルシステムの配下でデータ転送を行う場合には、ファイルシステムがデータの転送量を把握しているので、ＦＳＩＮＦＯ領域１２３の未使用クラスタ情報を正確な値に更新できるとともに接続解除後のＦＡＴ領域１２４の再検索を不要とでき、速やかに撮像モードに復帰させることができる。
【００７１】
このように、ファイルシステムについて、接続される機器との主従関係が異なる場合でもＦＳＩＮＦＯ領域１２３に正確な未使用クラスタ情報を格納できるが、携帯型撮像装置１の突発的に不具合が生じると、ファイルシステムに不具合をきたす恐れがある。例えば、バッテリー残量が尽きることによって電力の供給が絶たれると携帯型撮像装置１が停止してしまうため、このような場合における対応について以下に説明する。
【００７２】
図１０は、携帯型撮像装置に生じた機器異常によるシャットダウンが突然生じる場合であり、例えば、バッテリーの脱落やＡＣアダプタ使用時の停電等による場合の動作に関するフローチャートである。
【００７３】
まず、携帯型撮像装置１に機器異常が生じ（Ｓ４１）、シャットダウンが実行された場合（Ｓ４２）について、上記した電源に関する場合には電源周りを復旧させた後に携帯型撮像装置１の電源投入を行ってオペレーティングシステムを再起動させる（Ｓ４３）。このとき、先のシャットダウンにおいて未使用クラスタ情報の更新ができていない可能性があるので、ＦＡＴ領域１２４の再検索を実行して最新の未使用クラスタ情報を取得し（Ｓ４４）、ＦＳＩＮＦＯ領域１２３に格納する（Ｓ４５）。この動作以降は、ファイルシステムが正確な未使用クラスタ情報を把握できるようになる。
【００７４】
図１１は、携帯型撮像装置に生じた機器異常によってシャットダウンが必要となる場合であり、例えば、携帯型撮像装置１の機能停止（フリーズ）等による場合の動作に関するフローチャートである。
【００７５】
このような場合には、携帯型撮像装置１に機器異常が生じ（Ｓ５１）、電源スイッチ１９の連続押下に基づく強制終了操作を実行した場合に、ＣＰＵ１００はＦＡＴ領域１２４の再検索を行ってシャットダウン直前の最新の未使用クラスタ情報を取得し（Ｓ５２）、ＦＳＩＮＦＯ領域１２３に格納する（Ｓ５３）。この後、携帯型撮像装置１がシャットダウンされる（Ｓ５４）。この後、携帯型撮像装置１が再起動する際にはＦＳＩＮＦＯ領域１２３に格納された未使用クラスタ情報が有効であるので、オペレーティングシステムの起動時間を短縮できる。
【００７６】
なお、本発明は、上記した各実施の形態に限定されず、本発明の技術思想を逸脱あるいは変更しない範囲内で種々な組み合わせ、変形が可能である。
【図面の簡単な説明】
【００７７】
【図１】本発明の第１の実施の形態に係る携帯型撮像装置を示し、（ａ）は携帯型撮像装置をバッテリーカバー側から見た斜視図、（ｂ）は携帯型撮像装置を液晶表示部側から見た斜視図である。
【図２】本発明の第１の実施の形態に係る携帯型撮像装置のブロック図である。
【図３】本発明の第１の実施の形態における携帯型撮像装置の電源投入からオペレーティングシステムの起動完了までの状態遷移図である。
【図４】ハードディスクドライブに格納されるデータを構造的に示す図である。
【図５】携帯型撮像装置におけるオペレーティングシステムの起動処理を示すフローチャートである。
【図６】本発明の第２の実施の形態に係る携帯型撮像装置の接続形態を示す全体図である。
【図７】ＰＣ装置のファイルシステムの配下において携帯型撮像装置から画像データをＰＣ装置に移動する場合の動作を説明するフローチャートである。
【図８】本発明の第３の実施の形態に係る携帯型撮像装置の接続形態を示す全体図である。
【図９】携帯型撮像装置のファイルシステムの配下において携帯型撮像装置から画像データを録画再生装置に移動する場合の動作を説明するフローチャートである。
【図１０】携帯型撮像装置に生じた機器異常によるシャットダウンが突然生じる場合であり、例えば、バッテリーの脱落やＡＣアダプタ使用時の停電等による場合の動作に関するフローチャートである。
【図１１】携帯型撮像装置に生じた機器異常によってシャットダウンが必要となる場合であり、例えば、携帯型撮像装置１の機能停止（フリーズ）等による場合の動作に関するフローチャートである。
【符号の説明】
【００７８】
１…携帯型撮像装置、２…レンズ、３…フラッシュ、４…シャッターボタン、５…受光部、６…ストラップ取付け部、７…バッテリーカバー、７Ａ…バッテリーカバーロック、８…三脚用ネジ穴、９…接続端子、１０…ジョグダイヤル、１１…決定スイッチ、１２…メニュースイッチ、１３…モードスイッチ、１４…メモリカードカバー、１４Ａ…メモリカードカバーロック、１５…録画スイッチ、１６…ズームバー、１７…液晶表示部、１８…スピーカ、１９…電源スイッチ、１００…ＣＰＵ１００Ａ…電源スイッチ、１０１…メモリ回路、１０２…フラッシュメモリ、１０３…信号処理回路、１０４…圧縮伸長処理回路、１０５…ハードディスクドライブ、１０６…メモリカード、１０７…表示駆動部、１０８…ビデオデコーダ、１０９…ＬＡＮ端子、１１０…ＬＡＮコントローラ、１１１…ＵＳＢ端子、１１２…ＵＳＢコントローラ、１２０…ＭＢＲ、１２１…空き領域、１２２…ＰＢＲ、１２３…ＦＳＩＮＦＯ領域、１２４…ＦＡＴ領域、１２４Ａ，１２４Ｂ…エントリ、１２５…ＦＡＴ領域、１２６…データ領域、１３０…パーティション、２００…ＰＣ装置、２００Ａ…ＰＣ本体部、２０１…液晶表示部、２０２…キーボード、２０３…マウス、２１０…ＵＳＢケーブル、２１１…ＬＡＮケーブル、３００…録画再生装置
【図１】
2007214786.tif 000003
【図２】
2007214786.tif 000004
【図３】
2007214786.tif 000005
【図４】
2007214786.tif 000006
【図５】
2007214786.tif 000007
【図６】
2007214786.tif 000008
【図７】
2007214786.tif 000009
【図８】
2007214786.tif 000010
【図９】
2007214786.tif 000011
【図１０】
2007214786.tif 000012
【図１１】
2007214786.tif 000013